【手続補正書】
【提出日】平成24年3月6日(2012.3.6)
【手続補正１】
【補正対象書類名】特許請求の範囲
【補正対象項目名】全文
【補正方法】変更
【補正の内容】
【特許請求の範囲】
【請求項１】
圧力レギュレータであって、
圧力導入口を有している本体、
圧力排出口を有しており、前記本体へと作動可能に接続されるボンネット、
および、前記本体および前記ボンネットの間の内部に配置され、前記圧力導入口から前記圧力排出口へと流れる流体を制御するために前記本体内のシートリングに選択的に係合するピストンアセンブリを備え、
当該ピストンアセンブリは、
ピストン頭部と、前記圧力導入口を前記圧力排出口へと接続するための貫通穴を備えているピストンベースとを有しており、第一の動作モードのための第一の有効検出領域と、第二の動作モードのための第二の有効検出領域とを有しているピストン、
前記ピストンへと作用可能に接続され、出口圧力をあらかじめ定めるために前記ピストンへと荷重力をもたらす荷重要素、
および、前記ピストンベースに周囲から係合しており、流体を制御すべく前記シートリングに係合するピストンシート、
を備えている、圧力レギュレータ。
【請求項２】
前記ピストンの前記貫通穴が、出口圧力を調節するための調節手段を備えている、請求項１に記載の圧力レギュレータ。
【請求項３】
前記調節手段が、前記荷重要素によって生成される荷重力に対抗するための調節ばねアセンブリを備えている、請求項２に記載の圧力レギュレータ。
【請求項４】
前記本体が、シール面を有する内腔を備えており、
前記ピストンが、前記ピストン頭部に組み合わせられた第一のシールと、前記ピストンベースに組み合わせられ、前記内腔に対してシールを達成する第二のシールとを備えており、
前記ピストンシートならびに前記第一および第二のシールが、入口の流体の圧力の前記シールへの作用を最小化または軽減するように協働する、請求項３に記載の圧力レギュレータ。
【請求項５】
前記第一の有効検出領域が、前記第二の有効検出領域よりも小さい、請求項４に記載の圧力レギュレータ。
【請求項６】
前記ピストンシートが、当該ピストンシートを前記ピストンベースへと保持するための補足の力が入口圧力によってもたらされるよう、前記ピストンベースの外側へと接続されている、請求項５に記載の圧力レギュレータ。
【請求項７】
前記ピストンシートの熱膨張係数が、前記ピストンベースの熱膨張係数よりも大きい、請求項１ないし６のいずれか１項に記載の圧力レギュレータ。
【請求項８】
前記ピストンシートがベスペル（Vespel）である、請求項７に記載の圧力レギュレータ。
【請求項９】
前記荷重要素がエルジロイ（Elgiloy）である、請求項１ないし８のいずれか１項に記載の圧力レギュレータ。
【請求項１０】
圧力レギュレータであって、
圧力導入口を有する本体であって、前記圧力導入口が、前記圧力導入口と当該本体に位置するシートリングとの間に形成される入口圧力室につながっている本体、
圧力排出口を有しており、前記本体に作動可能に接続されるボンネットであって、前記圧力排出口が、当該ボンネット内に形成される出口圧力室につながっているボンネット、
および、前記本体および前記ボンネットの間の内部に配置され、前記出口圧力室の比較的低い出口圧力へと流れる前記入口圧力室の比較的高い入口圧力を有する流体を制御するために、前記本体の前記シートリングに選択的に係合するピストンアセンブリを備え、
前記ピストンアセンブリが、
ピストン頭部と、前記入口圧力室を前記出口圧力室へと流通可能に接続するための貫通穴を備えているピストンベースとを有し、前記ピストン頭部が、当該ピストンアセンブリを前記ボンネットにおいてシールするための第一のシール部材を有し、前記ピストンベースが、当該ピストンアセンブリを前記本体においてシールするための第二のシール部材を、前記第一および第二のシール部材が前記入口圧力室の前記入口圧力にさらされることがないように有しているピストン、
前記ピストンへと作用可能に接続され、出口圧力をあらかじめ定めるために前記ピストンへと荷重力をもたらす荷重要素、
および、前記ピストンベースに周囲から係合しており、流体を制御すべく前記シートリングに係合するピストンシート、
を備えている、圧力レギュレータ。
【請求項１１】
前記ピストンの貫通穴が、前記第二の圧力室に形成される出口圧力を調節するための調節手段を備えるように構成されている、請求項１０に記載の圧力レギュレータ。
【請求項１２】
前記調節手段が、前記荷重要素によって生成される荷重力に対抗するための調節ばねアセンブリを備えている、請求項１１に記載の圧力レギュレータ。
【請求項１３】
前記ピストンが、第一の動作モードのための第一の有効検出領域と、第二の動作モードのための第二の有効検出領域とを備えている、請求項１０ないし１２のいずれか１項に記載の圧力レギュレータ。
【請求項１４】
周囲の流体の温度を実質的に下回る圧力導入口の流体の温度において、前記ピストンシートが前記ピストンベースの周囲に堅固に収縮するよう、前記ピストンシートの熱膨張係数が、前記ピストンベースの熱膨張係数よりも大きい、請求項１０ないし１３のいずれか１項に記載の圧力レギュレータ。
【請求項１５】
前記出口圧力室に形成される出口圧力が、前記ピストン頭部に作用する出口圧力と、前記ピストンシートに作用する入口圧力と、前記荷重要素によって生成される荷重力によって生成される力とに比例する、請求項１０ないし１４のいずれか１項に記載の圧力レギュレータ。
【請求項１６】
圧力レギュレータであって、
シートリングを終端とする圧力導入口が前記内腔によって形成され、前記圧力レギュレータの第一の圧力室が前記外腔によって定められるように、内腔および外腔を有している本体、
前記圧力レギュレータの第二の圧力室を定めるために前記本体へと作動可能に接続され、前記圧力導入口に整列した圧力排出口を形成するための貫通穴を有しているボンネット、
および、前記本体の間の内部に配置され、前記圧力導入口から前記圧力排出口へと流れる流体を制御するために前記シートリングに選択的に係合するピストンアセンブリ、を備え、
前記ピストンアセンブリが、
ピストン頭部と、前記圧力導入口を前記圧力排出口へと接続するための貫通穴を備えているピストンベースとを有しているピストン、
前記本体の前記外腔内に配置され、出口圧力をあらかじめ定めるために前記ピストンに荷重力をもたらす荷重要素、
および、前記ピストンベースに周囲から係合しているピストンシート、
を備えている、圧力レギュレータ。
【請求項１７】
前記ピストンの貫通穴が、当該圧力レギュレータの出口圧力を調節するための調節手段を備えるように構成されている、請求項１６に記載の圧力レギュレータ。
【請求項１８】
前記ピストンシートが、前記ピストンベースに周囲から係合している、請求項１６または１７に記載の圧力レギュレータ。
【請求項１９】
前記ピストンシートが、前記ピストンシートを前記ピストンベースへと保持するための補足の力が入口圧力によってもたらされるよう、前記ピストンベースの外側へと接続されている、請求項１８に記載の圧力レギュレータ。
【請求項２０】
周囲の流体の温度を実質的に下回る圧力導入口の流体の温度において、前記ピストンシートが前記ピストンベースの周囲に堅固に収縮するよう、前記ピストンシートの熱膨張係数が、前記ピストンベースの熱膨張係数よりも大きい、請求項１８または１９に記載の圧力レギュレータ。
【請求項２１】
圧力レギュレータであって、
圧力導入口と、圧力排出口と、外壁と、内壁とを有しており、周囲圧力室を囲んでいるバルブ本体、
開口を有しており、前記圧力導入口に隣接して前記バルブ本体内に位置しているシートリング、
前記バルブ本体内にスライド可能に配置され、前記外壁に対してシールされる上部と、前記内壁に対してシールされる中間部と、細くされたベースとを有しており、前記細くされたベースと前記圧力排出口との間に流路をもたらす貫通穴を備えているピストン、
前記ピストンを第一の位置に向かって付勢する荷重要素、
および、前記ピストンベースに組み合わせられ、前記ピストンの動きに応じて前記シートリングの前記開口を選択的に開閉するように配置されたピストンシートを備えており、
前記ピストンが、前記ピストンシートが前記シートリングから離れて、前記導入口と前記排出口との間に前記貫通穴を介した流通を提供する前記第一の位置と、前記ピストンシートが前記シートリングに対して着座する第二の位置との間を移動可能であるとともに、
前記ピストンの前記上部が、前記ピストンが前記第一の位置にあるときの第一の有効検出領域と、前記ピストンが前記第一の位置から離れるように移動したときの第二の有効検出領域とを有している、
圧力レギュレータ。